【手続補正書】
【提出日】平成15年10月21日(2003.10.21)
【手続補正１】
【補正対象書類名】明細書
【補正対象項目名】００１３
【補正方法】変更
【補正の内容】
【００１３】
このようなスキャナ１２においては、光源２２から射出され、可変絞り２４によって光量調整され、色フィルタ板２６を通過して色調整され、拡散ボックス２８で拡散された読取光が、フィルムキャリア３０によって光軸Ｒに対応する読取位置Ｚに位置されたフィルムＦの１コマの画像に入射して、透過することにより、フィルムＦに撮影されたこのコマの画像を担持する投影光を得る。
なお、図示例において、フィルムＦは前述の新写真システム(Advanced Photo System) のフィルムである。このフィルムＦおよびフィルムキャリア３０については、後に詳述する。
また、図示例のフォトプリンタ１０においては、フィルムキャリア３０は、スキャナ１２の本体の所定位置に装着自在に構成される。図示例においては、フィルムの種類やサイズ、スライド等のフィルムの形態、トリミング等の処理等に応じて、スキャナ１２の本体に装着自在な専用のキャリアが用意されており、装着するキャリアを取り替えることにより、従来の１３５サイズのネガフィルム等の各種のフィルムや処理に対応して読み取りを行うことができる。


【手続補正２】
【補正対象書類名】明細書
【補正対象項目名】００１６
【補正方法】変更
【補正の内容】
【００１６】
図２（ａ）および図２（ｂ）に、フィルムＦおよびこれを収容するカートリッジ３８の概略図を示す。
周知のように、新写真システムのフィルムＦは、通常は、図２（ｂ）に示されるように、一端がカートリッジ３８のスプール軸４０に係止されており、基本的に、スプール軸４０に巻回されてカートリッジ３８に収容された状態で、プリントを依頼した顧客やラボ店等の間でのやり取りが行われ、撮影時、フィルム現像時、プリント露光時等に、カートリッジ３８からフィルムのＦの長手方向と一致する引き出し方向（矢印ａ方向）に引き出され、各種の処理が行われる。
図２（ａ）に示されるように、フィルムＦには、短手（幅）方向の一方の端部（図２では下方）にパーフォレーション４２，４２……か形成され、撮影画像は、このパーフォレーション４２に対応して記録され、コマＸが形成される。


【手続補正３】
【補正対象書類名】明細書
【補正対象項目名】００２１
【補正方法】変更
【補正の内容】
【００２１】
フィルムＦには、矢印ａで示される引き出し方向で画像記録領域を挟んでアラウンドパーフォレーション４６ａが形成され、また、同先端にはノッチ４６ｂが、同後端側にはデタッチパーフォレーション４６ｃが、それぞれ形成される。
これらのパーフォレーションやノッチを有することにより、画像領域やフィルムＦの先端・後端を検出可能にしている。


【手続補正４】
【補正対象書類名】明細書
【補正対象項目名】００２５
【補正方法】変更
【補正の内容】
【００２５】
搬送路５６には、カートリッジ３８からのフィルムＦの引き出し方向すなわちカートリッジ装填部５２からフィルム収容部５４に向かって、フィードローラ６８ａ，６８ｂ，６８ｃおよび６８ｄが配置されている。このフィードローラ６８ａ〜６８ｄは、正逆転可能なモータ７０の駆動によって回転して、フィルムＦをカートリッジ３８から引き出す方向および巻き取る方向に搬送する。
また、フィルム収容部５４には、フィードローラ６８ａ〜６８ｄと共にモータ７０によって回転される巻取軸７２が配置されており、搬送路５６からフィルム収容部５４に送り込まれるフィルムＦを図示しないガイド等によって巻取軸７２に巻き付け、この巻取軸７２に一時的に巻取る。


【手続補正５】
【補正対象書類名】明細書
【補正対象項目名】００２６
【補正方法】変更
【補正の内容】
【００２６】
読取時には、フィルムＦは引き出し方向（矢印ａ方向）に間欠搬送されて、各コマが順次開口６０（読取位置Ｚ）に搬送され、読み取りに供され、必要なコマの読み取りが終了すると、逆方向（巻き取り方向）に搬送されて、スプール４０に巻き取られてカートリッジ３８に収納される。


【手続補正６】
【補正対象書類名】明細書
【補正対象項目名】００４４
【補正方法】変更
【補正の内容】
【００４４】
光ビーム走査装置１３０は、感光材料Ａの赤（Ｒ）露光、緑（Ｇ）露光および青（Ｂ）露光のそれぞれの露光に対応する光ビームを射出する光源、ＡＯＭ（音響光学変調器）等の変調手段、ポリゴンミラー等の光偏向器、ｆθレンズ等を有して構成される、公知の光ビーム走査装置で、前述の制御装置１４（画像処理部１０８）から送られた画像データすなわち露光条件に応じて各光ビームを変調し、この光ビームを主走査方向に偏向して、露光位置（走査線）に入射して、主走査方向と直交する副走査方向に搬送される感光材料Ａを露光する。


【手続補正７】
【補正対象書類名】明細書
【補正対象項目名】００４９
【補正方法】変更
【補正の内容】
【００４９】
印字装置１８２は、各種のフォトプリンタのバックプリントに用いられる通常の印字装置（プリンタ）で、インクリボンカセットとシリアルドットヘッドを用いたドットインパクトプリンタ、インクジェットヘッドを用いたインクジェットプリンタ、熱転写用のインクリボンカセットやインクカセットと熱転写記録ヘッドとを用いた熱転写プリンタ等が例示される。
図示例の印字装置１８２は、一例として、２４ピンのドットインパクトプリンタである。
この印字装置１８２は、印字制御装置１８８によって駆動される。
ここで、本発明の画像記録装置にかかるプリンタ１６０においては、印字制御装置１８８には、フィルムＦに磁気記録されキャリア３０で読み取られた情報、および画像処理部１０８による画像処理の情報が送られている。印字制御装置１８８は、規格で規定されている記録を義務付けられた必須項目以外にも、フィルムＦに磁気記録された情報や画像処理の情報等の各種の情報をバックプリントとして記録するように印字装置１８２を駆動する。


【手続補正８】
【補正対象書類名】明細書
【補正対象項目名】００５４
【補正方法】変更
【補正の内容】
【００５４】
図示例の装置においては、このようなフィルムＦに磁気記録された情報のみならず、画像処理部１０８で施した画像処理の情報もバックプリントとして記録することができる。
前述のように、図示例のフォトプリンタ１０は、デジタルのシステムであるので、通常の直接露光によるフォトプリンタでは不可能あるいは困難な画像処理、例えば、画像の鮮鋭化（シャープネス）、部分的な覆い焼き効果の付与（中間階調を維持した、ハイライトおよびシャドーの独立した画像データの圧縮／伸張）、周辺光量不足の補正等の各種の画像処理（補正）を行うことが可能である。また、デジタルのシステムであるので、前述のような、ソフトフォーカス仕上げ等の特殊仕上げも容易に行うことができる。
そのため、このように画像処理の情報をバックプリントしておくことにより、例えば、同じ機種のフォトプリンタ１０を用いて、再プリントや焼き増し等を行う時に、バックプリントされた画像処理条件を入力し、これを用いて画像処理条件を設定する装置構成とすることにより、画像処理演算を行わなくても、あるいは画像処理演算を大幅に簡素化して、同じ画像処理条件を設定することができ、作業の効率化を計ることができる。


【手続補正９】
【補正対象書類名】明細書
【補正対象項目名】００５５
【補正方法】変更
【補正の内容】
【００５５】
画像処理の情報には特に限定は無く、覆い焼き効果の付与レベル（強度）、シャープネス処理の強度、軟調／硬調処理の強度等が例示される。
また、施した画像処理の情報を全てバックプリントで記録するものには限定されず、適宜選択された情報のみを記録してもよい。


【手続補正１０】
【補正対象書類名】明細書
【補正対象項目名】００６５
【補正方法】変更
【補正の内容】
【００６５】
以下、フォトプリンタ１０の作用を説明する。
オペレータは、先ず、光源２２の光量等、フォトプリンタ１０が適正な状態であることを確認すると共に、プリントを作成する（読み取る）フィルムに応じたキャリアをスキャナ１２の本体の所定位置に装着する。ここでは、新写真システムのフィルムＦのプリントを作成するとして、キャリア３０が装着される。


【手続補正１１】
【補正対象書類名】明細書
【補正対象項目名】００６７
【補正方法】変更
【補正の内容】
【００６７】
一方、オペレータは、マウス１８ｂ、ディスプレイ２０等を用いて、プリントを作成（読み取る）するコマ、プリント枚数等の必要な指示を入力する。
その後、フォトプリンタ１０の状態を確認した後にオペレータがプリント作成開始の指示を出すと、キャリア３０の各搬送手段が駆動して最初に読み取られるコマ目が開口６０（読取位置Ｚ）に搬送され、スキャナ１２による読み取りが開始される。
この搬送途中で、このコマは磁気ヘッド部７４を通過するので、その際に、前記磁気トラック４８と同様に、このコマの磁気トラック４４に磁気情報の記録、および読み取りが行われ、必要な情報が、スキャナ１２、制御装置１４、プリンタ１６、印字制御装置１８８に送られる。


【手続補正１２】
【補正対象書類名】明細書
【補正対象項目名】００６８
【補正方法】変更
【補正の内容】
【００６８】
スキャナ１２においては、まず、プレスキャンが行われ、光源２２から射出された読取光が、可変絞り２４で光量調整され、光路に挿入された例えばＧフィルタで調光されてフィルムＦの１コマ目に入射して透過し、このコマに撮影された画像（Ｇ画像）を担持する投影光が得られる。
この投影光は、結像レンズユニット３２によってＣＣＤセンサ３４に結像されて、フィルムＦのＧ画像が読み取られる。この画像データは、アンプ３６で増幅されて制御装置１４に送られ、Ａ／Ｄ変換器１００でＡ／Ｄ変換され、ｌｏｇ変換器１０２でｌｏｇ変換され、プレスキャンメモリ１０４に記憶される。Ｇ画像の読み取りが終了すると、同様にして、Ｂ画像、Ｒ画像が読み取られ、順次プレスキャンメモリ１０４に格納されて、プレスキャンが終了する。
プレスキャン画像データに応じた可変絞り２４の調整等が行われた後、続けて、本スキャンが開始され、プレスキャンと同様に、フィルムＦのＧ画像、Ｂ画像およびＲ画像が、順次読み取られて制御装置１４に送られ、本スキャンメモリ１０６に格納される。


【手続補正１３】
【補正対象書類名】明細書
【補正対象項目名】００６９
【補正方法】変更
【補正の内容】
【００６９】
一方、制御装置１４においては、画像処理部１０８がプレスキャンメモリ１０４からプレスキャン画像データを読み出し、濃度ヒストグラムの作成、画像特徴量の算出等を行い、画像処理条件を設定し、ディスプレイ４０にプレスキャン画像が表示される。
次いで、必要に応じて、ディスプレイ２０に表示された画像を用いてオペレータによる検定が行われ、キーボード１８ａ等を用いて色および／または濃度の調整が行われる。画像処理条件が確定すると、本スキャンメモリ１０４に格納された画像データが画像処理部１０８によって読み出され、確定された画像処理条件に応じて色／濃度補正等の所定の画像処理が施され、出力用の画像データとしてプリンタ１６に出力される。また、この画像処理の情報は、プリンタ１６のバックプリント部１４０の印字制御装置１８８にも送られる。
１コマ目の読取（本スキャン）が終了すると、キャリアによってフィルムＦが１コマ分搬送され、次ぎのコマの画像が読み取られ、以下同様に、３コマ目、４コマ目…と、順次、読み取りが行われる。


【手続補正１４】
【補正対象書類名】明細書
【補正対象項目名】００７１
【補正方法】変更
【補正の内容】
【００７１】
露光された感光材料Ａは、第３ループ形成部１７０に搬入され、ここの感光材料Ａの量に応じて１コマずつ断続的に搬送ローラ対１８０および屈曲搬送部１９０によって搬送される。
感光材料Ａの各コマは、この搬送によってバックプリント部１４０を通過して、印字装置１８２によってバックプリントを記録される。
ここで、本発明にかかるプリンタ１６においては、印字制御装置１８８にキャリア３０に磁気記録された情報、画像処理部１０８における画像処理の情報が送られており、印字制御装置１８８は、規格で記録を義務付けられている必須項目以外に、送られた情報の中から全情報あるいは記録を指示されている情報も記録するように、印字装置１８２を駆動して、バックプリントを記録する。


【手続補正１５】
【補正対象書類名】明細書
【補正対象項目名】００７２
【補正方法】変更
【補正の内容】
【００７２】
バックプリントを記録された感光材料Ａは、リザーバ１４２を経て排出装置１４４から現像装置１２２に搬送され、現像装置１２２において、発色現像、漂白定着、水洗の各処理を順次施されて現像され、乾燥装置１２４で乾燥され、排出装置１２６でプリント毎に切断され、ソータ２１４で仕分されて収納される。


【手続補正１６】
【補正対象書類名】図面
【補正対象項目名】図３
【補正方法】変更
【補正の内容】
【図３】
1998197963.tif 000001
【手続補正１７】
【補正対象書類名】図面
【補正対象項目名】図４
【補正方法】変更
【補正の内容】
【図４】
1998197963.tif 000002